(57)【要約】【課題】  赤目低減モードにおける写真撮影についての工夫がなされた、閃光発光装置を備えたカメラを提供する。【解決手段】  被写体からの入射光を捉えることにより撮影を行なうカメラにおいて、  撮影に同期して閃光を発光する閃光発光部と、撮影に先立って被写体に向けて赤目低減用の光を放つと共に前記閃光発光部からの閃光発光を伴って撮影を行なう赤目低減モードを解除自在に設定する赤目低減モード設定部と、カメラ前面に配備された複数のイルミネーション光源と、前記赤目低減モードによる撮影を行なうにあたり、撮影に先立って、前記複数のイルミネーション光源に、該赤目低減モードに応じた態様の点滅を行なわさせるイルミネーション制御部とを備えた。【選択図】        図５
2005275107.tif 000002
【特許請求の範囲】
【請求項１】
被写体からの入射光を捉えることにより撮影を行なうカメラにおいて、
撮影に同期して閃光を発光する閃光発光部と、
撮影に先立って被写体に向けて赤目低減用の光を放つと共に前記閃光発光部からの閃光発光を伴って撮影を行なう赤目低減モードを解除自在に設定する赤目低減モード設定部と、
カメラ前面に配備された複数のイルミネーション光源と、
前記赤目低減モードによる撮影を行なうにあたり、撮影に先立って、前記複数のイルミネーション光源に、該赤目低減モードに応じた態様の点滅を行なわさせるイルミネーション制御部とを備えたことを特徴とするカメラ。
【請求項２】
撮影指示から所定の時間を置いた後に撮影を行なうディレイ撮影モードを有し、前記イルミネーション制御部は、前記ディレイ撮影モードによる撮影にあたり、前記撮影指示から撮影が行なわれるまでの間、前記複数のイルミネーション光源に、前記赤目低減モードが設定されているか否かに応じて異なる点滅を行なわさせるものであることを特徴とする請求項１記載のカメラ。
【請求項３】
前記イルミネーション制御部による、前記赤目低減モードにおける前記複数のイルミネーション光源の点滅が、撮影に先立って被写体に向けて放たれる赤目低減用の光を兼ねたものであることを特徴とする請求項１また２記載のカメラ。
【発明の詳細な説明】
【技術分野】
【０００１】
本発明は、被写体からの入射光を捉えることにより撮影を行なう、閃光発光装置を備えたカメラに関する。
【背景技術】
【０００２】
従来より、閃光発光装置を備えたカメラが知られている。
【０００３】
このようなカメラについて、閃光発光のための電力が蓄えられるコンデンサの充電状態を知らせることにより、閃光発光を伴った撮影が可能であることを知らせるカメラが提案されている（例えば、特許文献１参照。）。
【０００４】
また、閃光発光装置を備えたカメラの中には、人間の目が赤く撮影されてしまう赤目現象発生の低減のための発光を撮影時の発光に先んじて行なうものも知られている。
【０００５】
この、閃光発光装置による赤目低減のための発光は、撮影時の発光には劣るものの多少まぶしさを感じる程度の輝度を以って行なわれている。
【特許文献１】特開平１４−２０２５５０号公報
【発明の開示】
【発明が解決しようとする課題】
【０００６】
ところが、この閃光発光を伴った撮影が可能であることを知り得るのは撮影者のみであって被写体側の人間は知ることができない。また、仮に被写体側の人間がこれから行なわれる撮影が閃光発光を伴った撮影であることを知り得たとしても、その閃光発光を伴った撮影が赤目低減の発光をさらに伴ったものであるか否かは知り得ないため、この赤目低減発光を伴う閃光発光撮影が行なわれた場合には、被写体側の人間が、この、閃光発光装置による赤目低減のための発光を撮影時の発光と思い込み、撮影時にはすでに動きだしてしまっているという事態が生じている。
【０００７】
本発明は、上記事情に鑑み、赤目低減モードにおける写真撮影についての工夫がなされた、閃光発光装置を備えたカメラを提供することを目的とする。
【課題を解決するための手段】
【０００８】
上記目的を達成するための本発明のカメラは、
被写体からの入射光を捉えることにより撮影を行なうカメラにおいて、
撮影に同期して閃光を発光する閃光発光部と、
撮影に先立って被写体に向けて赤目低減用の光を放つと共に上記閃光発光部からの閃光発光を伴って撮影を行なう赤目低減モードを解除自在に設定する赤目低減モード設定部と、
カメラ前面に配備された複数のイルミネーション光源と、
上記赤目低減モードによる撮影を行なうにあたり、撮影に先立って、上記複数のイルミネーション光源に、この赤目低減モードに応じた態様の点滅を行なわさせるイルミネーション制御部とを備えたことを特徴とする。
【０００９】
本発明のカメラでは、赤目低減モード設定部による赤目低減モードの設定がなされると、撮影に先立ち、現在のモードが赤目を低減するための機能が動作しているモードであることを知らせる点滅がイルミネーション光源によって行なわれる。これにより、被写体側の人間が、例えば閃光発光装置から放たれた赤目低減用の光を撮影時に閃光発光装置から放たれる閃光と思い込む勘違いを防止することができる。したがって、本発明のカメラによれば、被写体側の人間に撮影のタイミングを正確に意識させることができるため、赤目低減モードにおける写真撮影を上手く行なうことができる。
【００１０】
ここで、撮影指示から所定の時間を置いた後に撮影を行なうディレイ撮影モードを有し、上記イルミネーション制御部は、上記ディレイ撮影モードによる撮影にあたり、上記撮影指示から撮影が行なわれるまでの間、上記複数のイルミネーション光源に、上記赤目低減モードが設定されているか否かに応じて異なる点滅を行なわさせるものであることが好ましい。尚、ディレイ撮影モードには、シャッタレリーズ操作をしてから通常１０秒程度時間を空けて撮影が行なわれるセルフモードや、リモートコントロールによるレリーズ操作をしてから通常３秒程度時間を空けてから撮影が行なわれるリモコンモードなどが含まれる。
【００１１】
このようにすると、イルミネーション光源の点滅に、現在のモードが赤目低減モードであることを表わす機能に加え、セルフタイマモードにおける、例えば撮影までのカウントダウンを表わす機能をもたせることができる。
【００１２】
また、上記イルミネーション制御部による、上記赤目低減モードにおける上記複数のイルミネーション光源の点滅が、撮影に先立って被写体に向けて放たれる赤目低減用の光を兼ねたものであることも好ましい態様である。
【００１３】
このように、イルミネーションの点滅に、現在のモードが赤目低減モードであることを知らせる機能と赤目を低減する機能との双方の機能を持たせることで、誤解の元となっていた、閃光発光装置からの赤目低減用発光を行なわせずに済ますことができると、さらに赤目低減モードにおける写真撮影を上手く行なうことができる。
【発明の効果】
【００１４】
本発明のカメラによれば、赤目低減モードにおける写真撮影を上手く行なうことができる。
【発明を実施するための最良の形態】
【００１５】
以下、本発明の実施形態について説明する。
【００１６】
図１は、本発明のカメラの一実施形態の正面図である。
【００１７】
図１に示す、本実施形態であるカメラ１の前面には、レンズが内蔵されたレンズ鏡胴１１が中央に備えられ、そのレンズ鏡胴１１の上方にファインダ対物窓１２ａが備えられている。また、図１に示すカメラ１の前面には、レンズ鏡胴１１の右斜め上に閃光発光窓１４、その閃光発光窓１４の下方近傍に３つの青色ＬＥＤ１３ａ、１３ｂ、１３ｃが備えられている他、レンズ鏡胴１１の左斜め上に被写界輝度を検出するための測光窓２２が備えられている。さらに、図１に示すカメラ１の上面には、左端にシャッタボタン１５が備えられている。
【００１８】
図２は、本実施形態のカメラを背面側から見た場合の図である。
【００１９】
図２には、中央にこのカメラの様々な情報を表示する液晶表示パネル１６が備えられ、この液晶パネル１６の周囲には、このカメラに備えられている、詳しくは後述する複数の撮影モードを指定するための撮影モード選択ボタン１７と、電源ボタン１８とが示されている。
【００２０】
また、図２には、液晶表示パネル１６の右斜め上方に、ズームアップの際に操作される望遠ボタン２０、および、ズームダウンの際に操作される広角ボタン２１も示されている。さらに、液晶パネル１６の上方には、ファインダ接眼窓１２ｂが示されている。
【００２１】
本実施形態のカメラ１は、ズーム機能を備えた、いわゆる銀塩タイプの閃光発光装置付のコンパクトカメラである。
【００２２】
このカメラ１には、デフォルトである、通常の撮影を行なう通常モードの他に、撮影の際に閃光発光装置からの閃光発光が行なわれる発光モード、閃光発光に先立って赤目低減の発光が行なわれる赤目低減発光モード、シャッタボタン１５への操作の後１０秒後に撮影が行なわれるセルフタイマモード、撮影の際に閃光発光装置からの閃光発光を伴う発光セルフタイマモード、閃光発光に先立って赤目低減の発光が行なわれる赤目低減発光セルフタイマモードが備えられている。また、このカメラ１では、これら通常モード、発光モード、および、赤目低減発光モードと、リモートコントローラへの操作から３秒後に撮影が行なわれるリモコンモードとを組み合わせることができるようになっている。
【００２３】
さらに、このカメラ１では、赤目低減発光モード、あるいは赤目低減発光セルフタイマモードによる撮影の際に、図１に示す３つの青色ＬＥＤを所定の発光態様で点滅させることによって、現在の撮影モードが赤目低減のモードであることの被写体側への通知と、赤目低減との双方が行なわれるようになっている。尚、このカメラ１では、通常モードあるいは発光モードにおいては３つの青色ＬＥＤの発光は一切行なわれず、発光セルフモードにおいては３つの青色ＬＥＤのうちの中央の青色ＬＥＤのみの点灯が１０秒間行なわれる。
【００２４】
ここで、撮影モードとして、赤目低減発光モードとリモコンモードとの組み合わせが選択されている場合、リモートコントローラへの操作直後は３つとも点灯されていた青色ＬＥＤは、２秒前になると左端の青色ＬＥＤ１３ａが消灯され、１秒前には真ん中の青色ＬＥＤ１３ｂが消灯された後、右端の青色ＬＥＤ１３ａが消灯されるタイミングで撮影が行なわれるようになっている。また、撮影モードとして赤目低減発光セルフモードが選択されている場合、シャッタボタン１５への操作直後は後述する所定の発光態様で点滅している３つの青色ＬＥＤは、２秒前になると左端の青色ＬＥＤ１３ａを除く残り２つの青色ＬＥＤだけで所定の発光態様による点滅が行なわれ、１秒前には右端の青色ＬＥＤ１３ｃのみが上記所定の発光態様で点滅する。さらに、右端の青色ＬＥＤ１３ａが消灯されると共に撮影が行なわれるようになっている。
【００２５】
図３は、本実施形態のカメラの内部ブロック図である。
【００２６】
図３には、このカメラ１の全体の動作を制御するＣＰＵ３０と、処理プログラムが記憶されたＲＯＭ３０ａと、作業エリアとしてのメモリであるＲＡＭ３０ｂとが示されており、このＣＰＵ３０の回りには、電源回路３１と、リモコン受信回路３２と、リモコン送信機３２ａと、青色ＬＥＤ１３ａ、１３ｂ、１３ｃと共に閃光発光装置３３３の発光を制御する発光制御回路３３と、被写界輝度の測光を行なう測光回路３４と、鏡胴駆動部３７、フィルム給送部３６、およびシャッタ駆動部３５を制御するモータドライバ３８と、ボタン群３９とが示されている。尚、図３には、カメラ１に実際には備えられている、デート写し込みのための時計回路や、フォーカシングのためのＡＦ回路などの図示は、本発明とは無関係であるので省略されている。
【００２７】
図４は、３つの青色ＬＥＤ、閃光発光装置、および発光制御回路の回路図である。
【００２８】
図４には、左側に３つの青色ＬＥＤ１３ａ、１３ｂ、１３ｃ、右側に閃光発光装置３３３、中央にこれらの制御を行なう発光制御回路３３が示されており、図４の左端に示す青色ＬＥＤ１３ａは、トランジスタ１３１ａ、青色発光ダイオード１３２ａ、この青色発光ダイオード１３２ａとグランドとの間に接続された抵抗１３３ａ、および、発光制御回路３３のＩＬＥＤ３ポートとトランジスタ１３１ａとの間などに接続された抵抗１３４ａで構成されている。その他の青色ＬＥＤについての説明は、図４の左端に示す青色ＬＥＤ１３ａの説明と同じとなるので省略する。
【００２９】
図４の右側に示す閃光発光装置３３３は、昇圧部３３３ａ、発光部３３３ｂ、これら昇圧部３３３ａと発光部３３３ｂとの間に接続されている半波整流用のダイオード３３３ｄ、充電用のコンデンサ３３３ｃ、および、このコンデンサ３３３ｃの電圧を検出するための抵抗３３３ｅで構成されている。発光制御回路３３には、各青色ＬＥＤに備えられたトランジスタを制御するための３つのポートであるＩＬＥＤ１ポート、ＩＬＥＤ２ポート、ＩＬＥＤ３ポートのほかに、コンデンサ３３３ｃの電圧を検出するために検出された分圧値をデジタル値に変換するためのポートであるＡ／Ｄポートも備えられている。
【００３０】
図５は、赤目低減発光モードが選択された場合の青色ＬＥＤの発光態様を表わすタイムチャートである。尚、ここでは、リモコンモードとの組み合わせは行なわれていないとして話を進める。
【００３１】
図５には、各青色ＬＥＤの発光を制御するために、図４に示す発光制御回路３３の３つのＩＬＥＤ１ポート、ＩＬＥＤ２ポート、ＩＬＥＤ３ポートそれぞれから出力される制御信号の‘ＯＮ’、‘ＯＦＦ’パターンが示されており、これら制御信号が‘ＯＮ’のときに青色ＬＥＤが点灯される。したがって、カメラ１では、現在のモードが赤目低減発光モードであると、図５に示すように、左側の青色ＬＥＤ（図１において）１３ａから右側の青色ＬＥＤ１３ｃに向かって順に点灯が移っていき３つの青色ＬＥＤのうちのいずれか１つが点灯している発光が行なわれる。尚、この１つの青色ＬＥＤの点灯時間は１２５ｍｓに設定されている。また、この３つの青色ＬＥＤの点灯は、赤目低減の効果のある、多少まぶしく感じる程度の輝度を有した発光である。
【００３２】
図６は、本実施形態のカメラにおいて赤目低減発光モードとリモコンモードとの組み合わせが選択された場合の３つの青色ＬＥＤの発光態様を表わすタイムチャートである。
【００３３】
図６には、各青色ＬＥＤの発光を制御するために、図４に示す発光制御回路３３のＩＬＥＤ１ポート、ＩＬＥＤ２ポート、ＩＬＥＤ３ポートから出力される制御信号の‘ＯＮ’、‘ＯＦＦ’パターンが示されており、前述したように、撮影者がリモコンを操作した直後には３つとも点灯している青色ＬＥＤは、撮影２秒前になると、左側（図１において）の青色ＬＥＤ１３ａが消灯され、その後、最後まで点灯していた青色ＬＥＤ１３ｃが消灯されると共に撮影が行なわれている様子が示されている。
【００３４】
図７は、撮影モードとして、赤目低減発光セルフタイマモードが選択されている場合の３つの青色ＬＥＤの発光態様を表わすタイムチャートである。
【００３５】
図７には、自己撮影者などによるシャッタボタン操作の後しばらくは、３つの青色ＬＥＤが順番に点灯することで現在のモードが赤目低減モードであることを知らせていたのが、撮影２秒前になると、左側の青色ＬＥＤ１３ａを除く２つの青色ＬＥＤ１３ｂ、１３ｃが交互に点灯するようになり、最後には右側の青色ＬＥＤ１３ｃの消灯とともに撮影が行なわれている様子が示されている。
【００３６】
次に、このカメラ１において選択可能な各モードにおいて実行されるルーチンについて、赤目低減発光セルフタイマモードが選択されたときに起動されるルーチンを代表的に取り上げて説明する。
【００３７】
図８は、撮影モードとして、赤目低減発光セルフタイマモードが選択されている場合のシャッタスイッチがオンされた時に起動されるルーチンのフローチャートである。
【００３８】
図８のステップＳ１では、予め決められている、経過秒数に応じた点滅パターンで点滅が３つの青色ＬＥＤそれぞれに指示され、シャッタスイッチがオンされてから８秒後にステップＳ２において、青色ＬＥＤ１３ｃの消灯の確認が行なわれ、９秒後に、ステップＳ３において、青色ＬＥＤ１３ｂの消灯の確認が行われる。１０秒後に、ステップＳ４において、青色ＬＥＤ１３ｂの消灯の確認とともに撮影指示が出される。ステップＳ５では、フィルムの給送が行なわれ、このルーチンを終了する。
【００３９】
図９は、撮影モードとして発光セルフモードが選択されている場合の３つの青色ＬＥＤの発光態様を表わすタイムチャートである。
【００４０】
図９には、３つの青色ＬＥＤのうちの中央の青色ＬＥＤ１３ｂが１０秒間点灯している様子が示されている。尚、前述したように、撮影モードとして通常モードが選択されている場合には、これら３つの青色ＬＥＤの発光は一切行なわれない。
【００４１】
以上に説明したように、本実施形態のカメラ１では、通常の撮影、あるいは自己撮影において赤目低減の設定がなされると、撮影に先立ち、被写体側に赤目低減の設定がなされていることを知らせると共に、それ自身に赤目低減の効果がある点滅発光が３つの青色ＬＥＤにおいて行なわれる。これにより、赤目低減のための光が閃光発光装置ではない場所から放たれるために、閃光発光装置から放たれる閃光を撮影時のみのものとすることができる。したがって、本実施形態のカメラ１によれば、被写体側の人間に、閃光発光装置から放たれた赤目低減用の光を撮影時の閃光発光であると勘違いする可能性があった従来とは異なり、撮影のタイミングを正確に意識させることができることから、赤目低減の機能が使用されている場合における写真撮影を上手く行なうことができる。
【００４２】
尚、本実施形態のカメラ１では、赤目低減用の光が閃光発光装置からではなく、３つの青色ＬＥＤから放たれる例を挙げて説明したが、本発明はこれに限るものではなく、従来のように閃光発光装置から放たれるものであってもよく、また、本実施形態のカメラ１では、３つの青色ＬＥＤが、通常の撮影の他に、セルフモードを備えた場合に利用される場合を例に挙げているが、本発明はこれらに限るものではなく、店頭でのデモンストレーションモード、あるいは、閃光発光装置の充電状態を表わすモードによっても利用されるものであってよい。さらに、本実施形態では、ロール状のフィルムに撮影を行なう、いわゆる銀塩カメラを例に挙げて説明したが、本発明はこれに限らず、デジタルカメラに用いるものであってもよい。
【図面の簡単な説明】
【００４３】
【図１】本発明のカメラの一実施形態の正面図である。
【図２】本実施形態のカメラを背面側から見た場合の図である。
【図３】本実施形態のカメラの内部ブロック図である。
【図４】３つの青色ＬＥＤ、閃光発光装置、および発光制御回路の回路図である。
【図５】赤目低減発光モードが選択された場合の青色ＬＥＤの発光態様を表わすタイムチャートである。
【図６】本実施形態のカメラにおいて赤目低減発光モードとリモコンモードとの組み合わせが選択された場合の３つの青色ＬＥＤの発光態様を表わすタイムチャートである。
【図７】撮影モードとして、赤目低減発光セルフタイマモードが選択されている場合の３つの青色ＬＥＤの発光態様を表わすタイムチャートである。
【図８】撮影モードとして、赤目低減発光セルフタイマモードが選択されている場合のシャッタスイッチがオンされた時に起動されるルーチンのフローチャートである。
【図９】撮影モードに発光セルフモードが選択されている場合の３つの青色ＬＥＤの発光態様を表わすタイムチャートである。
【符号の説明】
【００４４】
１  カメラ
１１  レンズ鏡胴
１３ａ、１３ｂ、１３ｃ  青色ＬＥＤ
１４  閃光発光窓
１５  シャッタボタン
１６  液晶表示パネル
１７  撮影モード選択ボタン
１８  電源ボタン
２０  望遠ボタン
２１  広角ボタン
２２  測光窓
３０  ＣＰＵ
３１  電源回路
３２  リモコン受信回路
３２ａ  リモコン送信機
３３  発光制御回路
３３３  閃光発光装置
３４  測光回路
３５  シャッタ駆動部
３６  フィルム給送部
３７  鏡胴駆動部
３８  モータドライバ
３９  ボタン群
１３１ａ、１３１ｂ、１３１ｃ  トランジスタ
１３２ａ、１３２ｂ、１３２ｃ  発光ダイオード
１３３ａ、１３３ｂ、１３３ｃ、１３４ａ、１３４ｂ、１３４ｃ、３３３ｅ  抵抗
３３３ａ  昇圧部
３３３ｂ  発光部
【図１】
2005275107.tif 000003
【図２】
2005275107.tif 000004
【図３】
2005275107.tif 000005
【図４】
2005275107.tif 000006
【図５】
2005275107.tif 000007
【図６】
2005275107.tif 000008
【図７】
2005275107.tif 000009
【図８】
2005275107.tif 000010
【図９】
2005275107.tif 000011